(57)【要約】【課題】電気接続箱本体を構成する一方のケースから他方のケースの浮き上がりを抑えつつ、他方のケースの周壁部に対してブラケットを安定して大きな強度で取り付けることができる電気接続箱を提供する。【解決手段】一方のケース１４が嵌め込まれる他方のケース１６の周壁部３０の外周面に、係合ロック部６８，７０を設ける一方、周壁部３０の開口部から露出する一方のケース１４の底壁部１８に、嵌合突部７６を、係合ロック部６８，７０の近傍に位置するように形成した。そして、ブラケット１２を係合ロック部６８，７０に係合させると共に、ブラケット１２に設けられた嵌合凹部５４に嵌合突部７６を嵌合させて、ブラケット１２を他方のケース１６に取り付けるように構成した。【選択図】図１
2010283933.tif 000002
【特許請求の範囲】
【請求項１】
一方のケースに他方のケースが重ね合わされて、該他方のケースに設けられた周壁部内に前記一方のケースが嵌め入れられて組み付けられていることにより電気接続箱本体を構成すると共に、前記他方のケースの前記周壁部の外面には係合ロック部が形成されて、該係合ロック部に対してブラケットが取り付けられている電気接続箱において、
前記他方のケースの周壁部の外周面には、前記係合ロック部が設けられており、該係合ロック部に対して、別体の前記ブラケットが前記周壁部の開口部側から係合されて取り付けられている一方、
前記一方のケースの前記底壁部が前記他方のケースの前記周壁部の前記開口部側で露出されており、前記係合ロック部の近傍に位置して前記底壁部から外周面上に突出する嵌合突部が設けられていると共に、
前記ブラケットには、前記係合ロック部への係合に伴って前記嵌合突部に嵌め合わされて前記一方のケースから外方への前記ブラケットの変位を規制する嵌合凹部が設けられていることを特徴とする電気接続箱。
【請求項２】
前記係合ロック部が周方向で隣り合う二つの前記係合ロック部により構成されていると共に、前記嵌合突部が前記二つの係合ロック部の周方向間に位置している請求項１に記載の電気接続箱。
【請求項３】
前記嵌合突部が、細幅の脚部と、該脚部の突出先端部において前記ブラケットの前記嵌合凹部の嵌め合わせ方向に延びる広幅の頭部とを有しており、前記脚部が前記一方のケースの前記底壁部の外周角部から底面上にまで亘って延びて突出形成されている請求項１又は２に記載の電気接続箱。
【請求項４】
前記一方のケースの前記底壁部の底面に補強リブが突出形成されており、該補強リブに対して前記嵌合突部の前記脚部が連結されている請求項３に記載の電気接続箱。
【発明の詳細な説明】
【技術分野】
【０００１】
本発明は、自動車等に搭載される電気接続箱に係り、特に電気接続箱本体を車体パネル等に固定支持させるためのブラケットを備えた電気接続箱に関するものである。
【背景技術】
【０００２】
自動車等に搭載される電気接続箱は、プリント基板やバスバー、コネクタ、ヒューズ等の配線部材を適宜に組み込んで、良好なメンテナンス性を確保しつつ効率的に配したものであって、近年では、各種の制御装置を併せ備えたものも提案されている。このような電気接続箱は、車室内やエンジンルーム等に適当なスペースを確保して装着される。その際、電気接続箱本体の外周部分に別体のブラケットを組み付けて、このブラケットを介して電気接続箱本体を車体パネル等に固定支持するようにしたものがある。電気接続箱本体とブラケットを別体とすることで、固定位置の形状が異なる場合でも、電気接続箱本体を共通にして対応できる等の利点がある。
【０００３】
ところで、電気接続箱は、一般に、一対のケースを互いに組み合わせることで、中空構造の電気接続箱本体が構成されている。即ち、互いに組み合わされる一方のケース（内ケース）に対して他方のケース（外ケース）が重ね合わされており、一方のケースの外周が他方のケースの周壁部で覆われた構造とされている。そして、特許文献１（特開２００４−９６８９９号公報）に記載のように、この他方のケースに設けられた周壁部に係合ロック部が形成されており、この係合ロック部に対してブラケットが取り付けられるようになっている。
【０００４】
ところが、特許文献１に記載された従来構造の電気接続箱では、電気接続箱本体を構成する他方のケースの周壁部だけにブラケットが固定されていることから、ブラケットの取付部分における強度を充分に確保することが難しかった。即ち、電気接続箱に大きな外力が作用すると、ブラケットが取り付けられた他方のケースの周壁部に対して荷重が集中的に作用し、その結果、該他方のケースの周壁部が一方のケースから離れて外方に膨らむように変形し易くなる。そして、このような変形によって、他方のケースの周壁部が破損したり、電気接続箱本体に対するブラケットの係合ロック部にグラツキ等が発生したり、更には、電気接続箱本体を構成する一対のケースの組付状態が不安定になったり、内部の電気回路に悪影響が及ぼされたりするおそれもあった。
【０００５】
なお、特許文献１に記載されているように、一方のケースの外周に突設した係止突部を他方のケースの周壁部に係止することで、該他方のケースの周壁部が一方のケースの外周から浮き上がることを防止することも考えられる。しかしながら、係止突部が、薄肉の周壁部に係止されることから、十分な強度を得難い。しかも、そのような周壁部の係止機構は、ブラケットが装着される係合ロック部を外れた位置に形成しなければならず、それ故、特に係合ロック部を複数並設する場合にはスペース確保が難しいという問題もあった。
【先行技術文献】
【特許文献】
【０００６】
【特許文献１】特開２００４−９６８９９号公報
【発明の概要】
【発明が解決しようとする課題】
【０００７】
本発明は、上述の事情を背景に為されたものであって、その解決課題は、電気接続箱本体を構成する一方のケースから他方のケースの浮き上がりを抑えつつ、他方のケースの周壁部に対してブラケットを安定して大きな強度で取り付けることが出来る、新規な構造の電気接続箱を提供することにある。
【課題を解決するための手段】
【０００８】
本発明の第一の態様は、一方のケースに他方のケースが重ね合わされて、該他方のケースに設けられた周壁部内に前記一方のケースが嵌め入れられて組み付けられていることにより電気接続箱本体を構成すると共に、前記他方のケースの前記周壁部の外面には係合ロック部が形成されて、該係合ロック部に対してブラケットが取り付けられている電気接続箱において、前記他方のケースの周壁部の外周面には、前記係合ロック部が設けられており、該係合ロック部に対して、別体の前記ブラケットが前記周壁部の開口部側から係合されて取り付けられている一方、前記一方のケースの前記底壁部が前記他方のケースの前記周壁部の前記開口部側で露出されており、前記係合ロック部の近傍に位置して前記底壁部から外周面上に突出する嵌合突部が設けられていると共に、前記ブラケットには、前記係合ロック部への係合に伴って前記嵌合突部に嵌め合わされて前記一方のケースから外方への前記ブラケットの変位を規制する嵌合凹部が設けられていることを特徴とする。
【０００９】
第一の態様によれば、ブラケットが、嵌合突部と係合ロック部とを介して、一方と他方の両方のケースに固定される。これにより、ブラケットに作用する外力を両方のケースに分散させることができ、ブラケットの取付強度が効果的に高められ得ると共に、安定した取付状態が有効に確保され得る。それ故、ブラケットに作用する外力が他方のケースの周壁部に集中的に作用することを阻止する機構が、単一の嵌合突部によって効率的に実現される。
【００１０】
しかも、嵌合突部が、他方のケースを介することなく、ブラケットの嵌合凹部に対して直接に嵌合される。このため、他方のケースの周壁部の強度に関係なく、ブラケットの電気接続箱本体に対する取付強度を大きく確保できる。
【００１１】
さらに、嵌合突部が、一方のケースの底部と側壁部との強度の大きなエッジ部分に設けられて、嵌合突部において高い強度が確保される。このような嵌合突部が有する十分な強度を巧みに利用して、ブラケットの他方のケースに対する取付強度の向上、更には、嵌合突部による一方のケースに対するブラケット固定力（拘束力）の向上が、有効に図られ得る。
【００１２】
更にまた、係合ロック部に対するブラケットの装着方向と、嵌合突部に対するブラケットの装着方向とが同一方向とされている。それ故、係合ロック部及び嵌合突部に対する組付けを、単一の操作で簡単に実施出来る。
【００１３】
本発明の第二の態様は、第一の態様に記載のものにおいて、前記係合ロック部が周方向で隣り合う二つの前記係合ロック部により構成されていると共に、前記嵌合突部が前記二つの係合ロック部の周方向間に位置している構造としたものである。      
【００１４】
第二の態様によれば、二つの係合ロック部の間に嵌合突部を設けるだけで、ブラケットの他方のケースに対する取付強度の向上を図ることができることから、限られたスペースを有効に利用しつつ複数の係合ロック部を設けて、ブラケットの支持強度を大きく確保することができる。
【００１５】
本発明の第三の態様は、第一又は第二の態様に記載のものにおいて、前記嵌合突部が、細幅の脚部と、該脚部の突出先端部において前記ブラケットの前記嵌合凹部の嵌め合わせ方向に延びる広幅の頭部とを有しており、前記脚部が前記一方のケースの前記底壁部の外周角部から底面上にまで亘って延びて突出形成されてなる構造としたものである。
【００１６】
第三の態様によれば、例えば、他方のケースの周壁部の開口部から露出する、一方のケースの側壁部分が小さくとも、嵌合凹部に嵌め合わされる嵌合突部の頭部の有効長さを大きく確保することが可能となる。それによって、嵌合突部による一方のケースに対するブラケット固定力（拘束力）の向上が、より有効に図られ得る。      
【００１７】
本発明の第四の態様は、第三の態様に記載のものにおいて、前記一方のケースの前記底壁部の底面に補強リブが突出形成されており、該補強リブに対して前記係合突部の前記脚部が連結されている構造としたものである。
【００１８】
第四の態様によれば、嵌合突部の強度が有利に高められ得る。また、それによって、嵌合突部による一方のケースに対するブラケット固定力（拘束力）が、更に一層効果的に高められ得る。
【発明の効果】
【００１９】
本発明に従う電気接続箱にあっては、一方のケースからの他方のケースの浮き上がりを抑えることができると共に、電気接続箱本体に対してブラケットが、簡単な構造と優れたスペース効率をもって大きな強度で安定的に取り付けられ得る。
【図面の簡単な説明】
【００２０】
【図１】本発明の一実施形態としての電気接続箱を示す斜視図。
【図２】図１に示した電気接続箱の上面図。
【図３】図１に示した電気接続箱を構成する電気接続箱本体の内ケースと外ケースとの組付状態を示す斜視図。
【図４】図１に示された電気接続箱を構成するブラケットを示す斜視図。
【図５】図１に示された電気接続箱を構成するブラケットを示す、図４とは別の斜視図。
【図６】図２のVI−VI断面における部分拡大説明図。
【発明を実施するための形態】
【００２１】
以下、本発明の実施形態について、図面を参照しつつ説明する。
【００２２】
先ず、図１及び図２に、本発明の一実施形態として、電気接続箱１０を示す。電気接続箱１０は、電気接続箱本体１１に対してブラケット１２が取り付けられた構成とされており、ブラケット１２において、自動車の車体パネル（図示せず）に取り付けられるようになっている。
【００２３】
より具体的には、電気接続箱本体１１は、一方のケースとしての内ケース１４と、他方のケースとしての外ケース１６を有している。図１〜図３に示されるように、内ケース１４は、合成樹脂製の函体であって、略長方形状の底壁部１８とこの底壁部１８の外周縁部から、底壁部１８の厚さ方向一方側に突出し且つ周方向に連続して延びる周壁部２０とを一体的に有している。なお、以下の説明において、便宜上、内ケース１４の周壁部２０の底壁部１８からの突出方向を（図２の紙面に垂直な方向）を上下方向、底壁部１８の長手方向（図２中の上下方向）を前後方向、底壁部１８の幅方向（図２中の左右方向）を左右方向と言う。
【００２４】
内ケース１４の底壁部１８には、その上面に複数の装着筒部２２が一体的に立設されており、図示しないコネクタやリレー、ヒューズ等が収容されるようになっている。
【００２５】
また、外ケース１６は、全体として、内ケース１４よりも僅かに大きな合成樹脂製の函体であって、略長方形状の底壁部２８と、この底壁部２８の外周縁部から上方に突出し且つ周方向に連続して延びる周壁部３０とを、一体的に有している。
【００２６】
そして、内ケース１４の周壁部２０が外ケース１６の周壁部３０内に、その上側開口部を通じて嵌め入れられている。これにより、外ケース１６の周壁部３０の内面に内ケース１４の周壁部２０の外面が重ね合わされると共に、外ケース１６の上側開口部が内ケース１４の底壁部１８にて閉塞された状態で、内ケース１４と外ケース１６とが、互いに組み付けられて、電気接続箱本体１１を構成している。なお、内ケース１４と外ケース１６との組付状態下で、内ケース１４の底壁部１８の全体と周壁部２０の基端部とそれらの間に形成される外周角部２１が、外ケース１６の周壁部３０の開口部から上方に突出して、外部に露出されている。
【００２７】
電気接続箱本体１１の内部には、図示しないプリント基板やバスバー等の配線部材が収容されるようになっている。それらの配線部材の一部が、内ケース１４の底壁部１８に立設された装着筒部２２内に形成された貫通孔２４を通じて外部と連通可能にされており、装着筒部２２に装着される電気部品と電気的に接続されたり、装着筒部２２に装着されるコネクタを介して外部の電装品と電気的に接続されるようになっている。
【００２８】
一方、ブラケット１２は、図４に示されるように、複数のリブにて補強された筐体状のブラケット本体３２と、このブラケット本体３２の側部に突設された固定脚部３４とを一体的に有する、電気接続箱本体１１とは別体の合成樹脂成形品からなっている。ブラケット本体３２の上端部には、ボルト挿通孔３６が、設けられている。このボルト挿通孔３６に挿通された、図示しない固定ボルトが車体パネルに締結されることにより、ブラケット１２が、車体パネルに固定されるようになっている。固定脚部３４の下端部には、クランプ固定用孔３７が設けられており、図示しないワイヤーハーネスに装着されたクランプが固定されるようになっている。
【００２９】
このブラケット１２が、電気接続箱本体１１に対して、従来には見られない特別な構造で取り付けられている。
【００３０】
すなわち、図４及び図５から明らかなように、ブラケット１２のブラケット本体３２には、その下端部に、取付板部３８が、上下方向に延びるように一体形成されている。この取付板部３８は、厚さ方向一方の面が、略長方形状を有する取付面４０とされている。この取付面４０の上下方向に直交する幅方向の両端部には、案内部４２が、それぞれ１個ずつ一体形成されている。それら２個の案内部４２は、何れも、取付面４０の幅方向の内側に向かって開口し、且つ上下方向に延びる案内溝４４を有している。
【００３１】
また、２個の案内部４２，４２の間に位置する取付面４０の幅方向中間部において、取付面４０の幅方向中心部を間に挟んだ両側の箇所には、第一筒状受部４６が、それぞれ１個ずつ一体形成されている。それら各第一筒状受部４６は、何れも、上下方向両側に向かって開口する、扁平で幅広の四角筒形状を有しており、それぞれの扁平な内孔からなる２個の挿入空間部４８，４８が、取付面４０の幅方向中心部の両側において、上下方向に延びるように形成されている。
【００３２】
さらに、取付面４０における２個の第一筒状受部４６，４６の形成部位よりも上側部位の幅方向中心箇所には、第二筒状受部５０が、一体形成されている。この第二筒状受部５０は、下方に向かってのみ開口しており、第一筒状受部４６よりも狭幅の扁平な有底筒形状を呈している。第二筒状受部５０において、突出側の広幅の筒壁部には、スリット５２が上下方向の略全長に亘って延びるように形成されている。そして、このスリット５２の形成側とは反対側の広幅の筒壁部において、第二筒状受部５０が取付面４０に固着されている。これによって、第二筒状受部５０の扁平な内孔からなる嵌合凹部５４が、取付面４０の上端部の幅方向中心箇所において、上下方向に延び且つ下方に向かって開口するように形成されている。
【００３３】
一方、図１〜図３に示されるように、電気接続箱本体１１の外ケース１６の周壁部３０において、長辺方向に延びる第一周壁部分３０ａと第二周壁部分３０ｂの外面には、第一係合体５６と第二係合体５８とが、それぞれ１個ずつ、一体形成されている。それら第一係合体５６と第二係合体５８は、第一及び第二の各周壁部分３０ａ，３０ｂの長手方向の両端部に、それぞれ位置している。
【００３４】
第一係合体５６は、係合板部６０を有している。この係合板部６０は、第一及び第二周壁部分３０ａ，３０ｂの長手方向に延びる平板形状を呈し、第一及び第二周壁部分３０ａ，３０ｂの外面に対して所定距離を隔てて対向配置されている。そして、この係合板部６０が、その長さ方向の両側端部と中間部に一体形成された端部連結部６２，６２と中間連結部６４において、第一及び第二周壁部分３０ａ，３０ｂに対して一体的に連結されている。
【００３５】
また、係合板部６０には、端部連結部６２，６２の内側と中間連結部６４の両サイド部分において、スリット状の細長い切欠部６６が、それぞれ１個ずつ設けられている。それら各切欠部６６は、係合板部６０の上側の側面から上下方向の中央部付近まで、上下方向に真っ直ぐに延びる形態を有している。以下の説明において、それら４つの切欠部６６を、前側に位置するものから順番に、第一切欠部６６ａ、第二切欠部６６ｂ、第三切欠部６６ｃ、第四切欠部６６ｄと言う。
【００３６】
これによって、係合板部６０には、第一切欠部６６ａと第二切欠部６６ｂとの間の部分にて、第一係合ロック部６８が形成されている一方、係合板部６０の第三切欠部６６ｃと第四切欠部６６ｄとの間の部分にて、第二係合ロック部７０が形成されている。それら第一係合ロック部６８と第二係合ロック部７０は、何れも、上下方向に延びる平板からなる同一のリップ形状とされている。そして、そのような第一及び第二係合ロック部６８，７０が、第一及び第二周壁部分３０ａ，３０ｂの長さ方向において、十分に近接して、配置されている。
【００３７】
また、そのような第一係合体５６の係合板部６０の長さ方向の両端には、各端部連結部６２から側方に突出し且つ上下方向に所定長さで延びる摺動突部７２が、それぞれ一体形成されている。更に、第一係合体５６の係合板部６０と対向する第一及び第二周壁部分３０ａ，３０ｂには、上下方向に延びる嵌合部７４が、それぞれ２個ずつ設けられている。それら各嵌合部７４の内側には、断面Ｔ字状の溝部が形成されている。
【００３８】
第二係合体５８は、係合板部６０が、第一及び第二周壁部分３０ａ，３０ｂの外面に対して、２個の端部連結部６２，６２のみにて連結されて、係合板部６０に、１つの係合ロック部が設けられている以外、第一係合体５６と同様な基本構造を有している。
【００３９】
一方、図３に示されるように、電気接続箱本体１１の内ケース１４の底壁部１８には、嵌合突部７６が、一体形成されている。この嵌合突部７６は、全体として、Ｔ字形状を呈し、広幅の平板状の頭部７８と、この頭部７８に一体形成された、細幅の脚部８０とからなっている。
【００４０】
頭部７８は、外ケース１６の前記第一周壁部分３０ａに設けられた第一係合体５６の中間連結部６４の直上に位置している。また、そのような位置において、頭部７８が、外ケース１６の第一周壁部分３０ａと重ね合わされる内ケース１４の周壁部分２０ａの外部に露出した基端部と、周壁部分２０ａと底壁部１８との間に形成される外周角部２１とに対向して、内ケース１４と外ケース１６との嵌め合わせ方向たる上下方向に延び出している。脚部８０は、頭部７８の周壁部分２０ａや外周角部２１との対向面における幅方向の中央部から一体的に延び出している。そして、外周角部２１と、底壁部１８に一体形成された、補強リブとしての装着筒部２２の筒壁面とに対して、一体的に連結されている。これよって、嵌合突部７６が、内ケース１４の底壁部１８に一体形成されている。このように構成された嵌合突部７６は、外ケース１６の周壁部分３０ａに設けられた第一係合ロック部６８と第二係合ロック部７０の間の直上に位置して、頭部７８の一部を、内ケース１４の周壁部２０の外面上に突出させている。そうして、頭部７８の上下方向長さが、有利に長くされている。また、脚部８０、更には嵌合突部７６の内ケース１４に対する連結強度が、効果的に高められている。
【００４１】
また、内ケース１４の前記周壁部分２０ａとそれに対向する周壁部分２０ｂのそれぞれの外面には、複数の係合リブ８２が一体形成されている。これらの係合リブ８２は、何れも、外ケース１６の第一周壁部分３０ａと第二周壁部分３０ｂにそれぞれ設けられた嵌合部７４の断面Ｔ字状の溝部に嵌合可能なＴ字状の断面形状を有している。
【００４２】
そして、図２及び図６から明らかなように、外ケース１６の第一周壁部分３０ａに設けられた第一係合体５６の第一係合ロック部６８と第二係合ロック部７０とが、ブラケット１２の２個の第一筒状受部４６，４６の各挿入空間４８，４８内に、下側から挿入されている。このとき、外ケース１６の第一周壁部分３０ａに設けられた２個の摺動突部７２，７２が、ブラケット１２の取付面４０に設けられた案内部４２の各案内溝４４内に、それぞれ嵌合されている。これにより、第一及び第二係合ロック部６８，７０に対して、ブラケット１２の２個の第一筒状受部４６，４６が、外ケース１６の周壁部３０の開口部側から係合されて、ブラケット１２が、外ケース１６に対して固定されている。
【００４３】
また、そのような状態下で、内ケース１４に設けられた嵌合突部７６の頭部７８が、ブラケット１２の第二筒状受部５０の嵌合凹部５４内に挿入されていると共に、嵌合突部７６の脚部８０が、第二筒状受部５０のスリット５２内に挿通されている。これにより、外ケース１６の周壁部３０に対するブラケット１２の各第一筒状受部４６の係合に伴って、嵌合突部７６が、ブラケット１２の第二筒状受部５０の嵌合凹部５４に嵌め合わされている一方、ブラケット１２が、内ケース１４に対して、その周壁部分２０ａからの外方への変位が規制された状態で、固定されている。なお、この嵌合突部７６の嵌合凹部５４への嵌合により、嵌合突部７６が、第二筒状受部５０の底部の内面に当接することで、そのような当接状態からのブラケット１２の下方への移動が規制されるようになっている。
【００４４】
このように、ブラケット１２が、外ケース１６と内ケース１４の両方に固定された状態で、電気接続箱本体１１に対して取り付けられている。また、そのような状態下で、内ケース１４の周壁部分２０ａ，２０ｂの外面に設けられた断面Ｔ字状の複数の係合リブ８２が、外ケース１６の第一及び第二周壁部分３０ａ, ３０ｂに設けられた複数の嵌合部７４のＴ字状の溝部内に挿入されて、係合されている。更に、図示されてはいないものの、外ケース１６の第一周壁部分３０ａに設けられた第二係合体５８や、外ケース１６の第二周壁部分３０ｂに設けられた第一及び第二係合体５６，５８には、ブラケット１２とは別のブラケットやブラケット以外の各種の部材が、係合して、固定されるようになっている。
【００４５】
このように、本実施形態の電気接続箱１０においては、ブラケット１２が、外ケース１６と内ケース１４の両方に固定された状態で、電気接続箱本体１１に取り付けられるようになっている。それ故、例えば、ブラケット１２が外ケース１６のみに固定される従来品に比して、ブラケット１２の電気接続箱本体１１に対する取付強度が十分に大きくされている。また、ブラケット１２に対して、電気接続箱本体１１から側方に向かって引き剥がされる方向に大きな外力が作用しても、その際に、外ケース１６の第一周壁部分３０ａと内ケース１４の周壁部分２０ａとに応力が分散される。それによって、そのような外力の作用により、外ケース１６の第一周壁部分３０ａが内ケース１４の周壁部分２０ａから離れて外方に膨らむように（浮き上がるように）変形することがない。その結果、そのような変形によって、外ケース１６の第一周壁部分３０ａが破損したり、電気接続箱本体１１に対するブラケット１２の取付部分にグラツキ等が発生したり、更には、電気接続箱本体１１を構成する内外ケース１４，１６の組付状態が不安定になったり、内部の電気回路に悪影響が及ぼされたりすることが、効果的に解消され得る。また、本実施形態では、内ケース１４の係合リブ８２と外ケース１６の嵌合部７４の溝部との係合によっても、内ケース１４の周壁部分２０ａからの外ケース１６の第一周壁部分３０ａの浮き上がりが有利に防止され得る。
【００４６】
また、本実施形態では、外ケース１６の第一周壁部分３０ａに、第一及び第二の二つの係合ロック部６８，７０が、互いに近接位置して、設けられている。これによって、外ケース１６に対する第一及び第二の係合ロック部６８，７０の形成スペースを十分に小さく為した上で、ブラケット１２が、電気接続箱本体１１に対して、より安定的に且つ十分な強度をもって有利に取り付けられ得る。
【００４７】
さらに、第一及び第二の係合ロック部６８，７０の間の小さなスペースに対応した内ケース１４の周壁部分２０ａに、嵌合突部７６が設けられている。それ故、外ケース１６の第一周壁部分３０ａの内ケース１４の周壁部分２０ａからの浮き上がりを防止して、ブラケット１２の外ケース１６に対する取付強度の増大を図る構造が、極めて小さなスペースを有効に利用して、有利に実現され得る。
【００４８】
また、嵌合突部７６が、内ケース１４に対して高い強度をもって取り付けられている。その上、嵌合突部７６の頭部７８が、十分に長い上下方向長さを有している。これによって、ブラケット１２が、内ケース１４、ひいては電気接続箱本体１１に対して、より大きな強度で取り付けられ得る。
【００４９】
さらに、内ケース１４と外ケース１６の組付方向と、ブラケット１２の第一筒状受部４６に対する第一及び第二係合ロック部６８，７０の係合方向や、ブラケット１２の第二筒状受部５０の嵌合凹部５４に対する嵌合突部７６の嵌合方向とが同一の方向とされている。このため、例えば、内ケース１４と外ケース１６との組付による電気接続箱本体１１の形成操作と、電気接続箱１０に対するブラケット１２の取付操作とを一挙に行うことが出来、電気接続箱１０の形成作業の簡略化が有利に図られ得る。
【００５０】
以上、本発明の実施形態について詳述したが、本発明は、その具体的な記載によって限定されない。例えば、ブラケット１２の電気接続箱本体１１に対する取付位置や取付個数等は、電気接続箱本体１１の形状や大きさ等に応じて、適宜に変更され得る。
【００５１】
前記実施形態では、外ケース１６の周壁部３０に二つの係合ロック部６８, ７０を周方向で隣接して設けると共に、周壁部３０の開口部から露出する内ケース１４の底壁部１８に二つの係合ロック部の間に位置するように嵌合突部７６を設ける構成が採用されていたが、係合ロック部の配設スペースや要求されるブラケットの支持強度等により、一つの係合ロック部に対して嵌合突部を一つ設けるようにしてもよい。例えば、外ケース１６の周壁部３０に一つの係合ロック部を設けると共に、この係合ロック部の真上或いは斜め上など、係合ロック部の近傍に位置するように一つの嵌合突部を形成する構成も本発明に含まれる。
【００５２】
さらに、外ケース１６や内ケース１４の強度や空きスペース等を考慮して、一つの係合ロック部に対して複数の嵌合突部を設けて、ブラケット１２の係合ロック部への係合に伴って、ブラケット１２の嵌合凹部が複数の嵌合突部と係合するようにしてもよい。加えて、二つ以上の係合ロック部を周方向に隣接して設けると共に、それら複数の係合ロック部の近傍に位置する少なくとも一つの嵌合突部を設ける構成も本発明に含まれる。
【００５３】
また、前記実施形態では、２個の係合ロック部６８，７０が、外ケース１６の第一周壁部分３０ａに設けられた２個のリップ状の平板からなり、そのような各係合ロック部６８，７０が、ブラケット１２に設けられた第一筒状受部４６の挿入空間４８，４８内に挿入されて、係合されるようになっていた。これに代えて、外ケース１６の第一周壁部分３０ａに、２個の係合ロック部として、２個の第一筒状受部４６，４６を設ける一方、ブラケット１２に、２個のリップ状の平板からなる係合部を設ける。そして、それら各係合部を、係合ロック部としての各第一筒状受部４６に係合させて、ブラケット１２を外ケース１６に固定するように為すことも可能である。その他、係合ロック部の具体的な構造や、係合ロック部とブラケットとの係合構造は、公知の各種の構造が適宜に採用され得る。
【００５４】
また、嵌合突部として、内ケース１４の底壁部１８に、第二筒状受部５０を突設する一方、ブラケット１２に対して、頭部７８と脚部８０とを有するＴ字状の係合部を一体形成する。そして、そのような係合部を第二筒状受部５０に嵌合させることにより、ブラケット１２を内ケース１４に固定することも出来る。なお、その際には、第二筒状受部５０が、上方に向かって開口する片側有底の筒形状とされる。また、嵌合突部と嵌合凹部は、それらの嵌合により、他方のケースたる内ケース１４からのブラケット１２の外方への変位を規制可能なものであれば、具体的な形状が特に限定されるものではなく、それら嵌合突部と嵌合凹部の嵌合構造としても、公知のものが適宜に採用可能である。
【符号の説明】
【００５５】
１０：電気接続箱  １１：電気接続箱本体  １２：ブラケット  １４：内ケース（一方のケース）１６：外ケース（他方のケース）  １８：底壁部  ２０，３０：周壁部  ２１：外周角部  ２２：装着筒部（補強リブ）  ５４：嵌合凹部  ６８：第一係合ロック部  ７０：第二係合ロック部  ７６：嵌合突部  ７８：頭部  ８０：脚部
【図１】
2010283933.tif 000003
【図２】
2010283933.tif 000004
【図３】
2010283933.tif 000005
【図４】
2010283933.tif 000006
【図５】
2010283933.tif 000007
【図６】
2010283933.tif 000008